【事件の表示】
　平成８年特許願第１０１５２０号「介護管理・支援装置」拒絶査定に対する審判事件［平成９年１１月４日出願公開、特開平９−２８５４５０］について、次のとおり審決する。
【結　論】
　本件審判の請求は、成り立たない。
【理　由】
１．手続の経緯・本願発明
　この出願は、平成８年４月２３日の出願であって、その請求項１に係る発明（以下、本願発明という。）は、平成１３年３月９日付け手続補正書で補正された明細書及び図面の記載からみて、特許請求の範囲の請求項１に記載された事項により特定される次のとおりのものと認める。
「【請求項１】介護施設又は病院の管理室に設置される表示器と通信手段をコンピュータに付設して成る管理ユニットに、管理ユニットからの信号に基づいて管理されるナースコールシステムと、複数種類の他の管理・監視システムと、通信又は通話システムとを接続し、管理ユニットはナースコールシステムによる管理室と居室間の通話、上記管理・監視システムの動作状況を集中管理し、通信又は通話システムにより介護人へ介護情報を伝達して介護作業を支援する処理を行ない、この処理において介護作業の支援の通常動作時にはナースコールシステムと他のシステムのいずれか又はそのいくつかの動作が重複するとナースコールシステムの動作画面表示を他のシステムの動作に対して最優先順位とし、他の管理・監視システムのいずれかの異常又は非常時にはナースコールシステムより優先して異常又は非常状態の表示をするように構成して成る介護管理・支援装置。」　
　
２．刊行物
　原審における拒絶の理由に引用された特開平６−３１４３９２号公報（以下、刊行物１という。）には、
（１−１）
「【請求項１】
　患者の入退院、病室内の在不在情報を処理し、患者の呼出し通話を制御するナースコール呼出／通話管理システムを構成するナースコントローラと、
　火災、ガス漏れ、スプリンクラ等の防災情報を処理し、表示する防災報知システムの防災受信機と、
　照明、空調、医療電気設備などの電気設備を遠隔制御し、その制御状態を表示するビル設備制御システムのコントローラと、
　病院内の電気錠を制御し、その動作状態を表示する電気錠制御システムの電気錠制御盤と、
　表示部と、表示操作キーを設けた表示装置とを、ナースホストコンピュータを介して接続し、
　上記各表示、制御システムを上記表示装置の表示操作キーの操作によって遠隔制御するとともに、上記各表示、制御システムから送出される患者情報、防災情報、ビル設備、電気錠の制御情報などの管理情報を、上記表示画面に選択的に表示させるようにしたナース総合情報管理制御システム。
（中略）
 【請求項３】
　上記防災報知システムによって処理された火災、ガス漏れなどの異常発生情報は、上記表示装置の表示画面に優先的に割り込んで表示されるようにした請求項１または２に記載のナース総合情報管理制御システム。」、
　
（１−２）
「【０００８】
　【実施例】
　以下に、添付図を参照して、本発明システムの一実施例を説明する。図１は、本発明システムの概略構成をブロック図をもって示している。Ａはナースコントローラ８を含み、患者の入退院、病室内の在、不在情報をナースコール表示ボード１に一覧表示するとともに、ナースコール子機３からの患者の呼出し情報を病室の廊下などに設置した呼出表示板２やナースコール表示ボード１に表示させ、呼出した子機３と、ナースステーションに設置された副親機１１との通話制御を行うナースコール呼出／通話管理システム、Ｂは防災受信機４を含み、火災センサーＳ，ガス漏れセンサーＧ，火災発信機Ｐからの火災やガス漏れ警報を発生し、スプリンクラ等の火災設備（不図示）の動作状況を表示する防災報知システム、Ｃはコントローラ５を含み、病室内の照明５１、空調５２，クーラ５３、医療機械５４を制御したり、それらの制御状態を監視するビル設備制御システム、Ｄは電気錠制御盤６を含み、玄関やエントランスなどに設置した電気錠ユニット６１の解錠制御と、電気錠の動作状態を表示する電気錠制御システムである。
 【０００９】
　図例の本発明システムでは、ナースコール表示ボード１と呼出表示板２とナースコール子機３とを組合せて構成されたナースコール通話／呼出表示システムとは、いずれもインターフェースＩ／Ｆを介在させ、専用の通信線Ｌ１を通じてＣＰＵを内蔵した共通のナースコントローラ８に接続され、ナースコール呼出／通話管理システムＡを構成している。　また、防災報知システムＢ、ビル設備制御システムＣ、電気錠制御システムＤは、いすれもインターフェースＩ／Ｆを介在させ、専用の通信線Ｌ２，Ｌ３，Ｌ４を通じて通信用ＣＰＵ９に接続されている。そして、ナースコントローラ８と、通信用ＣＰＵ９は、ナースホストＣＰＵ７に接続されており、このナースホストＣＰＵ７には、後述するようなタッチパネル式の表示操作キーを設けた表示画面（ＣＲＴやＬＣＤで構成されている）を映し出す表示部を備えた表示装置１０と、ナースコール子機３との通話、呼出しを行うための副親機１１を接続している。」、
　
（１−３）
「【００１１】
　このような構成の本発明のナース総合情報管理制御システムによれば、表示装置１０の表示画面に現れるタッチパネル式の表示操作キーを操作すれば、ナースステーションに設けた副親機１１と各病室に設けたナースコール子機３との呼出や通話ができ、患者の入退院、病室の在不在の情報をナースコール表示ボード１に表示することが出来る。
 【００１２】
　また、ビル設備制御システムＣに含まれる照明５１、空調機器５２，５３や医療機械５４及び電気錠制御システムＤの電気錠ユニット６１の施、解錠も、表示装置１０の表示画面に表れるタッチ式の表示操作キーを操作することによって遠隔制御でき、更に、防災報知システムＢの防災センサーＳ，Ｇが発報したり、火災発信機Ｐが操作されたときには、表示装置１０の画面が防災情報画面に切換えられて、異常情報が表示出来るようになっている」、
　
（１−４）
「【００１６】
　ついで、表示装置と、その表示画面のパターンについて説明する。この表示装置１０は、タッチパネル式の表示操作キーを設けた表示画面を映し出す表示部を備えており（請求項２）、副親機１１と同様にナースホストＣＰＵ７に接続されている。なお、図３〜図１１において、タッチパネル式の表示操作キーとして機能する部分を斜線枠で示す。
 【００１７】
　この表示装置１０では、本発明システムに含まれる上記した各表示、制御システムＡ〜Ｄの内容を表示画面上に映し出される表示操作キーを選択的に操作することによって遠隔制御したり、上記各表示、制御システムＡ〜Ｄから送出される患者情報、防災情報、ビル設備、電気錠の制御情報などの管理情報を選択的に表示させることができる。」、
　
（１−５）
「【００２１】　また、‥‥‥一方、画面消去１０ｅをタッチすると、画面はすべて消去されるが、画面消去中にナースコールがあった場合には、後述するようなナースコール画面（図１１参照）が優先して表示される。」、
　
（１−６）
「【００２７】
　なお、子機３の呼出ボタンを押すと、副親機１１側では呼出音が鳴動し、表示装置１０の表示画面の下欄に現れたナースコールの表示部１０Ｅが点滅する。」、
と記載されている。
　
　してみると、刊行物１には、
「ナースステーション（病院の管理室）に設置される表示装置１０（表示器）と副親機１１（通信手段）をナースホストＣＰＵ７（コンピュータ）に付設して成る管理ユニットに、管理ユニットからの信号に基づいて管理されるナースコールシステムと、防災報知システム・ビル設備制御システム・電気錠制御システム（複数種類の他の管理・監視システム）とを接続し、管理ユニットはナースコールシステムによる管理室と居室間の通話、上記管理・監視システムの動作状況を集中管理する処理を行ない、この処理において防災報知システムの異常又は非常時にはナースコールシステムより優先して異常又は非常状態の表示をするように構成して成る介護管理装置。」
という発明が記載されていると認められる。
　
　また、同じく引用された特開平８−５７７号公報（以下、刊行物２という。）には、
（２−１）
「【請求項１】住居内における緊急事態発生時に緊急信号を発報する信号送信手段と、
　前記信号送信手段からの緊急信号の受信機能と、受信した緊急信号の処理機能とを有する緊急信号通報制御手段と、
　前記緊急信号通報制御手段からの制御によって、予め登録された送信先に緊急通知信号を自動的に発報する通信手段と、
　緊急信号通報制御手段からの制御によって住居出入口の施錠を解除する施錠解除手段と、
　住居の外側における視認良好部位に設けるとともに、緊急信号通報制御手段からの制御によって緊急信号の発報時において動作する緊急通報灯と、を備えたことを特徴とする日常生活緊急事態支援システム。」、
　
（２−２）
「【０００９】
　一方このような構成において、緊急信号通報制御手段５の制御のもと通信手段７から発報した緊急信号は、例えば病院に設置した所定の専用電話３５や、消防署の１１９番専用電話３７によって受信させればよい。また、介護ヘルパーを対象とする場合には、ポケットベルなどと称する商品名で上市されている携帯受信装置３９に受信させればよい。そして緊急信号通報を受けた者が到着するまでに、‥‥‥」、
と記載されている。
　
３．対比・判断
　本願発明と刊行物１に記載された発明とを対比すると、両者は、
「病院の管理室に設置される表示器と通信手段をコンピュータに付設して成る管理ユニットに、管理ユニットからの信号に基づいて管理されるナースコールシステムと、複数種類の他の管理・監視システムとを接続し、管理ユニットはナースコールシステムによる管理室と居室間の通話、上記管理・監視システムの動作状況を集中管理する処理を行ない、この処理において防災報知システムの異常又は非常時にはナースコールシステムより優先して異常又は非常状態の表示をするように構成して成る介護管理装置。」
である点で一致し、
（１）本願発明は「介護管理・支援装置」であって、管理ユニットに通信又は通話システムが接続され、通信又は通話システムにより介護人へ介護情報を伝達して介護作業を支援する処理を行なうのに対し、刊行物１に記載された発明は「介護管理装置」であって、管理ユニットに通信又は通話システムが接続されていない点、
（２）本願発明においては、介護作業の支援の通常動作時にはナースコールシステムと他のシステムのいずれか又はそのいくつかの動作が重複するとナースコールシステムの動作画面表示を他のシステムの動作に対して最優先順位としているのに対して、刊行物１に記載された発明においては、ナースコールシステムの動作画面表示を他のシステムの動作に対して最優先順位としていない点、
において相違している。
　
　上記相違点について検討する。
・相違点（１）について
　刊行物２には「介護ヘルパーを対象とする場合には、ポケットベルなどと称する商品名で上市されている携帯受信装置３９に受信させればよい。そして緊急信号通報を受けた者が到着するまでに、」と記載されている（上記（２−２）参照）。介護人である介護ヘルパーにポケットベルで緊急信号を通報する際、被介護人が誰であるのか等の介護に関する情報が介護人に伝達されなければならないから、刊行物２には、通信又は通話システムにより介護人へ介護情報を伝達して介護作業を支援する技術が記載されているといえる。そして、刊行物２に記載された当該技術を刊行物１に記載された発明に適用することは、ともに介護に関するものであるという技術分野の類似性に鑑みれば、当業者であれば容易に想到し得ることである。
・相違点（２）について
　刊行物１には「火災、ガス漏れなどの異常発生情報は、上記表示装置の表示画面に優先的に割り込んで表示されるようにした」と記載されている（上記（１−１）参照）が、このようにするのは表示装置を見ている者が即座に異常発生情報という重要な情報に気が付くようにするためであり、重要な情報を表示装置の表示画面に優先的に割り込んで表示する技術であるといえる。このような表示割り込みの技術は、異常時、通常時の優先関係に限られず、他の優先関係の表示にも利用できることは明らかであり、介護管理装置の通常動作時に関していえば、ナースコールシステムの動作に関する情報は、ナースコールが被介護人からの緊急の要請である以上、通常動作時の他の情報よりも優先されるべき情報であるから、刊行物１に記載された発明において、ナースコールシステムの画面表示を他のシステムの動作に対して最優先順位とするように構成することは、当業者が容易に想到し得ることである。
　
４．むすび
　以上のことから、本願発明は、刊行物１及び２に記載された発明に基づいて当業者が容易に発明をすることができたものであるから、特許法第２９条第２項の規定により特許を受けることができない。
　よって、結論のとおり審決する。